(57)【要約】    【課題】  各画像読取センサに適した入射光量となる様に、各光源の発光量を的確に調整することが可能な画像読取装置を提供する。    【解決手段】  各光源３０２，３０３が各画像読取センサ３００，３０１に及ぼす影響率を求め、該影響率を用いて各光源３０２，３０３を同時に点灯した状態の光量調整目標値から各光源３０２，３０３を個別に点灯した時の光量調整目標値を算出して、各光源３０２，３０３の光量調整を行う。【選択図】      図３
2006237896.tif 000002
【特許請求の範囲】
【請求項１】
個別に発光量を調整可能で且つ特性が異なる複数個の光源により原稿を照射し、特性が異なる複数個の光学フィルタで分光するタイプの画像読取センサを用いて原稿の画像情報を読み取る画像読取装置において、
前記各光源が前記各画像読取センサに及ぼす影響率を求め、該影響率を用いて前記複数個の光源を同時に点灯した状態の発光量調整目標値から前記複数個の光源を個別に点灯した時の発光量調整目標値を算出して、各光源の発光量の調整を行うように制御する制御手段を設けたことを特徴とする画像読取装置。
【請求項２】
前記複数個の光源の異なる特性とは、発光分光波長であり、且つ前記複数個の光学フィルタの異なる特性とは、分光透過特性であることを特徴とする請求項１に記載の画像読取装置。
【請求項３】
前記影響率を所定値と比較する比較手段を設け、前記所定値以上の影響率だけを用いて前記各光源の発光量の調整目標値を算出することを特徴とする請求項１または２に記載の画像読取装置。
【請求項４】
前記制御手段は、前記影響率を求めて保持する演算／保持手段と、前記各光源の発光量を調整する際に前記影響率を用いて前記光源の発光量の調整目標値を補正する補正手段とから成ることを特徴とする請求項１〜３のいずれかに記載の画像読取装置。
【請求項５】
個別に発光量を調整可能で且つ特性が異なる複数個の光源により原稿を照射し、特性が異なる複数個の光学フィルタで分光するタイプの画像読取センサを用いて原稿の画像情報を読み取る画像読取装置の制御方法において、
前記各光源が前記各画像読取センサに及ぼす影響率を求め、該影響率を用いて前記複数個の光源を同時に点灯した状態の発光量調整目標値から前記複数個の光源を個別に点灯した時の発光量調整目標値を算出して、各光源の発光量の調整を行うように制御する制御工程を設けたことを特徴とする画像読取装置の制御方法。
【請求項６】
前記複数個の光源の異なる特性とは、発光分光波長であり、且つ前記複数個の光学フィルタの異なる特性とは、分光透過特性であることを特徴とする請求項５に記載の画像読取装置の制御方法。
【請求項７】
前記影響率を所定値と比較する比較工程を設け、前記所定値以上の影響率だけを用いて前記各光源の発光量の調整目標値を算出することを特徴とする請求項５または６に記載の画像読取装置の制御方法。
【請求項８】
前記制御工程は、前記影響率を求めて保持する演算／保持工程と、前記各光源の発光量を調整する際に前記影響率を用いて前記光源の発光量の調整目標値を補正する補正工程とから成ることを特徴とする請求項５〜７のいずれかに記載の画像読取装置の制御方法。
【請求項９】
請求項５〜８のいずれかに記載の画像読取装置の制御方法を実現するためのコンピュータ読み取り可能なプログラムコードを有することを特徴とするプログラム。
【請求項１０】
請求項９に記載のプログラムを格納したことを特徴とする記憶媒体。
【発明の詳細な説明】
【技術分野】
【０００１】
本発明は、個別に発光量調整可能で且つ特性が異なる複数個の光源により原稿を照射し、特性が異なる複数個の光学フィルタで分光するタイプの画像読取センサを用いて原稿の画像情報を読み取る画像読取装置及びその装置を制御する制御方法及びプログラム並びにそのプログラムを格納した記憶媒体に関する。
【背景技術】
【０００２】
従来、色成分を含んだ画像情報（カラー画像情報）を記録した原稿を、分光特性が異なる複数個の光源により照射し、分光特性が異なる複数個の光学フィルタで分光するタイプの画像読取センサを用いて原稿のカラー画像情報を読み取ることが可能な画像読取装置が知られている（例えば、特許文献１参照）。
【０００３】
図４は、原稿のカラー画像情報を読み取ることができる一般的な画像読取装置の構成を示す概念図である。
【０００４】
図４において、４００は原稿、４０１は原稿４００を照射する光源で、特性（発光分光波長）の異なる複数個の光源としての、例えば、Ｒ（赤）・Ｇ（緑）・Ｂ（青）に近い分光発光特性を持つＬＥＤ（発光ダイオード）４０１ａ〜４０１ｃから成る。４０２は画像読取センサで、光源４０１が原稿４００を照射することにより得られるカラー画像情報を読み取るものである。４０３は標準白板で、画像読取センサ４０２や光源４０１の特性差を補正する際に使用するものである。
【０００５】
図５は、画像読取センサ４０２の構成を示す斜視図である。
【０００６】
図５において、５０１はカラーフィルタ（光学フィルタ）で、特性（透過波長）の異なるカラーフィルタ５０１ａ〜５０１ｃから成る。カラーフィルタ５０１は、例えば、各カラーフィルタ５０１ａ〜５０１ｃが、光源４０１の分光特性に近いＲ（赤）・Ｇ（緑）・Ｂ（青）に透過率のピークを持つ分光透過率を有する。４０２は画像読取センサで、Ｒ（赤）・Ｇ（緑）・Ｂ（青）に対応する画像読取センサ４０２ａ〜４０２ｃから成り、カラーフィルタ５０１ａ〜５０１ｃを透過したカラー画像情報を読み取るものである。この結果、原稿４００の画像情報を各画像読取センサ４０２ａ〜４０２ｃが異なる分光特性で読み取ることにより、例えば、Ｒ・Ｇ・Ｂに分解したカラー画像情報を読み取ることが可能となる。
【０００７】
このような従来の画像読取装置では、標準白板４０３を光源４０１ａ〜４０１ｃで照射した場合の反射光を画像読取センサ４０２ａ〜４０２ｃで読み取り、光源４０１ａ〜４０１ｃの発光量の調整を行う。この光源４０１ａ〜４０１ｃの発光量調整の一例としては、基準の参照発光量で光源４０１ａ〜４０１ｃを点灯した場合の画像読取センサ４０２の出力値を参照して、画像読取センサ４０２ａ〜４０２ｃの出力値が所定値（発光量調整目標値）となるように、光源４０１ａ〜４０１ｃの発光量を調整する。この時、Ｒの分光透過特性を有するカラーフィルタ５０１ａに対応する画像読取センサ４０２ａの出力値を用いて、Ｒの発光波長を有する光源（ＬＥＤ）４０１ａの発光量を調整する。Ｇ・ＢについてもＲと同様にして光源（ＬＥＤ）４０１ｂ，４０１ｃの発光量を調整するものである。
【特許文献１】特開昭５９−０７９６７６号公報
【発明の開示】
【発明が解決しようとする課題】
【０００８】
図６は、上記カラーフィルタ５０１ａ〜５０１ｃの分光透過率特性例を示す図であり、同図において、縦軸は透過率を、横軸は波長をそれぞれ示す。
【０００９】
また、図７は、光源４０１ａ〜４０１ｃの発光分光特性を示す図であり、同図において、縦軸は相対発光強度を、横軸は波長をそれぞれ示す。
【００１０】
図６及び図７において明らかなように、画像読取センサ４０２ａ〜４０２ｃと光源４０１ａ〜４０１ｃのＲ・Ｇ・Ｂの関係は完全に独立しておらず、混色していることが分る。即ち、例えば、Ｇの光源４０１ｂの発光量を変更した場合、出力が変化するのはＧを読み取る画像読取センサ４０２ｂだけではなく、Ｒを読み取る画像読取センサ４０２ｂやＢを読み取る画像読取センサ４０２ｃの出力も変化してしまう。
【００１１】
従って、ある１色の画像読取センサの出力から対応する光源の発光量の調整を行っても、他の異なる色の光源の発光量を変更すると、別の画像読取センサの出力が変化してしまう。その結果、光源の発光量の調整を行うと、画像読取センサが飽和する等の不具合が生じるために、光源と画像読取センサとが混色する状態（複数個の光源を同時に点灯した状態）では、ある画像読取センサの出力値からは変更すべき光源と該光源の発光量の変更量を特定できないため、光源を同時に点灯した状態では事実上光源の発光量調整を行うことができない。
【００１２】
しかし、実際の画像読み取り時には、複数の光源を同時に点灯させるので、複数の光源が同時に点灯した状態で画像読取センサの出力値が調整目標値となるように光源の発光量調整を行う必要がある。
【００１３】
本発明は、上述したような従来技術の有する問題点を解消するためになされたもので、その目的は、異なる色の光源を同時に点灯した状態で画像読取センサの出力値が光源の発光量調整目標値となる様に各光源の発光量調整を的確に行なえるようにした画像読取装置を提供することである。
【課題を解決するための手段】
【００１４】
上記目的を達成するために本発明の画像読取装置は、個別に発光量を調整可能で且つ特性が異なる複数個の光源により原稿を照射し、特性が異なる複数個の光学フィルタで分光するタイプの画像読取センサを用いて原稿の画像情報を読み取る画像読取装置において、前記光学フィルタの特性及び前記光源の特性に伴う前記各光源が前記各画像読取センサに及ぼす影響率を求め該影響率を用いて前記画像読取センサの出力値が最適値となるように前記光源の発光量の調整目標値を補正する制御手段を設けたことを特徴とする。
【００１５】
また、上記目的を達成するために本発明の画像読取装置の制御方法は、個別に発光量を調整可能で且つ特性が異なる複数個の光源により原稿を照射し、特性が異なる複数個の光学フィルタで分光するタイプの画像読取センサを用いて原稿の画像情報を読み取る画像読取装置の制御方法において、前記光学フィルタの特性及び前記光源の特性に伴う前記各光源が前記各画像読取センサに及ぼす影響率を求め該影響率を用いて前記画像読取センサの出力値が最適値となるように前記光源の発光量の調整目標値を補正する制御工程を設けたことを特徴とする。
【発明の効果】
【００１６】
光学フィルタと光源の特性を加味して光量調整を行うことで、各画像読取センサに適した入射光量となる様に、各光源の発光量を的確に調整することが可能となる。
【発明を実施するための最良の形態】
【００１７】
図１は、本発明の第１の実施の形態に係る画像読取装置の外観構成を示す斜視図であり、この画像読取装置は、個別に発光量が調整可能で且つ分光波長特性の異なる複数個の光源により原稿を照射し、それぞれが分光透過特性の異なる光学フィルタを備えた複数個の画像読取センサにより、原稿のカラー画像情報を読み取ることが可能である。
【００１８】
そして、本実施の形態に係る画像読取装置においては、光学フィルタの特性及び光源の特性に伴う各光源が各画像読取センサに及ぼす影響率を用いて、光源の設定された調整目標値から光源の個別点灯時用の調整目標値を算出することで、各光源を同時に点灯した状態での各光源の発光量調整が可能となり、このような影響率を加味した各光源の発光量調整を行うことで、各光源を各画像読取センサに適した発光量に調整することができ、複数の光源が点灯した状態で画像読取センサの出力値が発光量調整目標値となるように光源の発光量調整を的確に行うことができる。
【００１９】
図１において、１０１は画像読取装置本体、１０２は給紙口、１０３は給紙トレー、１０４は操作手段、１０５は排紙口、１０６は排紙トレーである。
【００２０】
図１において、給紙トレー１０３に積載された被写体である原稿（不図示）は、操作手段１０４からスキャン指示情報が入力されると、給紙口１０２から画像読取装置本体１０１の内部に１枚づつ搬送される。画像読取装置本体１０１の内部に搬送された原稿の画像情報は、不図示の画像読取センサによって読み取られる。その後、原稿は排出方向へと搬送され、排紙口１０５から画像読取装置本体１０１の外部へ排出される。そして、画像読取装置本体１０１の外部へ排出された原稿は、排紙トレー１０６上に順次積載される。
【００２１】
図２は、画像読取装置本体１０１の内部構造を示す断面図であり、同図において、図１と同一部分には同一符号が付してある。
【００２２】
図２において、２００は原稿で、給紙トレー１０３上に積載されている。２０１はフィードローラ、２０２はリタードローラで、回転軸との間にトルクリミッタ２０３を備えている。フィードローラ２０１とリタードローラ２０２との作用により、給紙トレー１０３上に積載された原稿２００は１枚づつ分離されて、給紙口１０２から画像読取装置本体１０１内に図中矢印Ｂ方向に搬送される。２０４は搬送ローラで、フィードローラ２０１とリタードローラ２０２との作用により１枚づつ搬送されて来る原稿２００を、更に排紙口１０５方向へ搬送するものである。
【００２３】
２０５は画像読取ユニット（裏面画像読取ユニット）で、原稿２００の裏面を読み取るものである。２０６は画像読取ユニット（表面画像読取ユニット）で、原稿２００の表面を読み取るものである。両画像読取ユニット２０５，２０６の内部には、原稿２００を照射する光源（不図示）と、原稿２００の画像情報を読み取る画像読取センサ（不図示）が組み込まれている。また、両画像読取ユニット２０５，２０６は、図２中「Ａ」の読取位置で原稿２００の画像読み取りを行う。２０７は第１のプラテンローラで、搬送されて来る原稿２００を、裏面画像読取ユニット２０５の読取位置「Ａ」において密着するように押さえるものである。また、２０８は第２のプラテンローラで、搬送されて来る原稿２００を、表面画像読取ユニット２０６の読取位置「Ａ」において密着するように押さえるものである。
【００２４】
２０９は排紙ローラで、搬送されて来た原稿２００を排紙口１０５から画像読取装置本体１０１の外部へ排出するものである。２１０は搬送駆動源で、一般的には搬送モータである。この搬送駆動源２１０は、不図示のギア機構やベルト機構によって前記各ローラの回転軸と接続されている。その結果、搬送駆動源２１０が回転すると前記各ローラが回転するために、原稿２００が所定速度にて所定方向へ搬送される。搬送駆動源２１０が図２において時計回り方向に回転すると、原稿２００は給紙口１０２から排紙口１０５へ搬送される。２１１は原稿検知センサで、給紙口１０２に原稿２００が有るか否かを検知するものである。２１２は給紙前検知センサで、搬送されて来た原稿２００の端部を検知するものである。
【００２５】
図３は、本実施の形態に係る画像読取装置の画像読み取り部分の電気回路構成を示すブロック図であり、同図において、図１と同一部分には同一符号が付してある。
【００２６】
図３において、３００，３０１はそれぞれが分光透過特性の異なる光学フィルタ（カラーフィルタ）を備えた画像読取センサで、それぞれ画像読取ユニット２０５，２０６の内部に設けられている。３０２，３０３は個別に発光量が調整可能で且つ分光波長特性の異なる光源で、それぞれ画像読取ユニット２０５，２０６の内部に設けられており、光源３０２，３０３が点灯することによって得られる原稿の画像情報を画像読取センサ３００，３０１で読み取る構成になっている。
【００２７】
なお、図３においては、原稿の表裏読み取りを区別しているため、画像読取センサ及び光源の符号を「３００，３０１」及び「３０２，３０３」と記載しているが、図３における画像読取センサ３００，３０１及び光源３０２，３０３は、それぞれ図４における画像読取センサ４０２及び光源４０１と同等である。
【００２８】
３０４はアナログ画像処理部で、画像読取センサ３００，３０１の出力であるアナログ画像信号に対して、アナログ画像処理（黒レベル調整、ゲイン調整等）を行うものである。３０５はＡ／Ｄ変換部で、アナログ画像処理部３０４の出力をデジタル画像信号に変換するものである。３０６はデジタル画像処理部で、Ａ／Ｄ変換部３０５の出力に対してデジタル画像処理（黒レベル補正、シェーディング補正、及びエッジ強調処理等）を行うものである。３０７はデジタル画像処理用記憶部で、該記憶部３０７に保持される黒レベル補正データ・シェーディング補正データを用いて、黒レベル補正・シェーディング補正処理がデジタル画像処理部３０６で実行される。なおデジタル画像処理用記憶部３０７には、一般的にＳＲＡＭ等のメモリが使用される。
【００２９】
３０８はデジタル画像信号保持部で、デジタル画像処理部３０７の出力を一時的に保持するものであり、一般的にはＤＲＡＭ等のメモリが使用される。３０９はタイミング信号発生部で、上述の画像読取センサ３００，３０１からデジタル画像信号保持部３０８までが画像読取動作を行うために必要な同期信号やクロック信号及び光源３０２，３０３の点滅を制御する光源制御信号等を出力する。３１０は制御部で、上述の各部が所定の画像読取動作を行うように、各種の設定及び制御を行うものである。３１１はＩ／Ｆ（インタフェース）部で、本画像読取装置が接続された外部機器との画像データやコマンドの送受信は、このＩ／Ｆ部３１１を介して行われる。３１２はプログラム記憶部（ＲＯＭ：リードオンリーメモリ）で、制御部３１０のプログラムを記憶している。３１３はメモリ部（ＲＡＭ：ランダムアクセスメモリ）で、制御部３１０がワークメモリとして使用するものである。３１４はデータ保持部（ＥＥＰＲＯＭ）で、画像読取装置毎に固有の情報や原稿の読取枚数カウント値等の情報を記憶するものである。これらのメモリ部３１３やデータ保持部３１４は、本発明において使用する「影響率」を保持するための手段として使用することができる。
【００３０】
ここで、「影響率」とは、光学フィルタの分光透過特性及び光源３０２，３０３の分光発光特性に伴う画像読取センサ３００，３０１の混色度合、即ち、各光源３０２，３０３が各画像読取センサ３００，３０１に及ぼす影響度合である。
【００３１】
３１５は光量目標値補正演算部で、設定された光量調整目標値を、データ保持部３１４に記憶されている「影響率」に関する情報により、実際に光源３０２，３０３の光量調整を行う場合に使用する目標値に変更するものである。
【００３２】
本実施の形態では、光量目標値補正演算部３１５を設けたが、光量目標値補正演算部３１５設けずに、制御部３１０により光量目標値を補正演算する構成や、Ｉ／Ｆ部３１１に外付けされる外部機器により光量目標値を補正演算する構成にしても良い。
【００３３】
次に、前記影響率の求め方と光量調整目標値の補正演算処理について、図４及び図５を用いて説明する。
【００３４】
初めに、「影響率」を求める。
【００３５】
ここでは、例えば、「Ｒ」の光源の発光量の調整を行う場合について説明するが、他の「Ｇ」、「Ｂ」の光源の発光量の調整方法は、「Ｒ」の光源の発光量の調整方法と同様である。
ステップ１：
光源４０１ａ「Ｒ」だけを、基準となる点灯時間設定値で点灯し、基準白板を照射した時の画像読取センサ４０２ａ「Ｒ」の出力を求める。・・・R-DATA_R
ステップ２：
光源４０１ａ「Ｒ」と光源４０１ｂ「Ｇ」を基準となる点灯時間設定値で点灯し、基準白板を照射した時の画像読取センサ４０２ａ「Ｒ」の出力を求める。・・・R-DATA_RG
ステップ３：
光源４０１ａ「Ｒ」と光源４０１ｃ「Ｂ」を基準となる点灯時間設定値で点灯し、基準白板を照射した時の画像読取センサ４０２ａ「Ｒ」の出力を求める。・・・R-DATA_RB
ステップ４：
各光源が画像読取センサ４０２ａ「Ｒ」に及ぼす影響率を求める。
【００３６】
光源４０１ａ「Ｒ」による影響率：Rr＝R-DATA_R／R-DATA_R＝1
光源４０１ｂ「Ｇ」による影響率：Rg＝（R-DATA_RG−R-DATA_R）／R-DATA_R
光源４０１ｃ「Ｂ」による影響率：Rb＝（R-DATA_RB−R-DATA_R）／R-DATA_R
上記ステップ１〜４を「Ｇ」、「Ｂ」についても行う。
【００３７】
各光源が画像読取センサ４０２ｂ「Ｇ」に及ぼす影響率を求める。
【００３８】
光源４０１ａ「Ｒ」による影響率：Gr＝（G-DATA_GR−Ｇ-DATA_G）／G-DATA_G
光源４０１ｂ「Ｇ」による影響率：Gg＝G-DATA_G／G-DATA_G＝１
光源４０１ｃ「Ｂ」による影響率：Gb＝（G-DATA_GB− G-DATA_G）／G-DATA_G
各光源が画像読取センサ４０２ｃ「Ｂ」に及ぼす影響率を求める。
【００３９】
光源４０１ａ「Ｒ」による影響率：Br＝（B-DATA_BR−B-DATA_B）／B-DATA_B
光源４０１ｂ「Ｇ」による影響率：Bg＝（B-DATA_BG−B-DATA_B）／B-DATA_B
光源４０１ｃ［Ｂ］による影響率：Bb＝B-DATA_B／B-DATA_B＝１
上記処理により各光源が各画像読取センサに及ぼす影響率を求めることができる。
【００４０】
次に、「光量調整目標値の補正演算」を行う。
【００４１】
以上の影響率を用いて各光源を個別に点灯した時と同時に点灯した時の関係を行列式で示すと、以下の様になる。
【００４２】
【数１】
2006237896.tif 000003
【００４３】
但し
Ｔｒ／Ｔｇ／Ｔｂ：光源４０１ａ〜４０１ｃの点灯時間設定値
Ｒ(  )：光源４０１ａのみを点灯した時の画像読取センサ４０２ａの点灯時間−出力値変換関数
Ｇ(  )：光源４０１ｂのみを点灯した時の画像読取センサ４０２ｂの点灯時間−出力値変換関数
Ｂ(  )：光源４０１ｃのみを点灯した時の画像読取センサ４０２ｃの点灯時間−出力値変換関数
Ｒ’(  )：光源４０１ａ〜４０１ｃを同時に点灯した時の画像読取センサ４０２ａの点灯時間−出力値変換関数
Ｇ’(  )：光源４０１ａ〜４０１ｃを同時に点灯した時の画像読取センサ４０２ｂの点灯時間−出力値変換関数
Ｂ’(  )：光源４０１ａ〜４０１ｃを同時に点灯した時の画像読取センサ４０２ｃの点灯時間−出力値変換関数
上記式１の両辺に影響率の行列の逆行列を掛けると、下記式２が得られる。
【００４４】
【数２】
2006237896.tif 000004
【００４５】
上記式２から各光源が各画像読取センサに及ぼす影響率が判れば、各光源を同時に点灯することによって、混色状態となった画像読取センサの出力値から、各光源を個別に点灯した場合の各画像読取センサの出力値を算出できることが分る。
【００４６】
上記式２の右辺の「点灯時間−出力値変換関数」の部分に、各光源を同時に点灯した状態で標準白板を読み取って当初設定された光量調整目標値（Ｔａｒ＿Ｒ’、Ｔａｒ＿Ｇ’、Ｔａｒ＿Ｂ’）を代入すると、各光源を個別に点灯した時の光量調整目標値（Ｔａｒ＿Ｒ、Ｔａｒ＿Ｇ、Ｔａｒ＿Ｂ）が得られる。
【００４７】
【数３】
2006237896.tif 000005
【００４８】
但し
Tar_R／Tar_G／Tar_B：光源の個別点灯用に補正演算された光量調整目標値（R／Ｇ／Ｂ）
Tar_R’／Tar_G’／Tar_B’：当初設定された光量調整目標値（Ｒ／Ｇ／Ｂ）
Rr：光源「R」が画像センサ「R」に及ぼす影響率
Rg：光源「G」が画像センサ「R」に及ぼす影響率
Rb：光源「B」が画像センサ「R」に及ぼす影響率
Gr：光源「R」が画像センサ「G」に及ぼす影響率
Gg：光源「G」が画像センサ「G」に及ぼす影響率
Gb：光源「B」が画像センサ「G」に及ぼす影響率
Br：光源「R」が画像センサ「B」に及ぼす影響率
Bg：光源「G」が画像センサ「B」に及ぼす影響率
Bb：光源「B」が画像センサ「B」に及ぼす影響率
上記式３で求めた光源個別点灯用光量調整目標値を用いて各光源の光量調整を行うことで、実際に原稿を読み取る際の各光源を同時に点灯した状態で、各画像読取センサが適切な光量（即ち、標準白板を読み取った時に光源の光量調整目標値となる状態）を得ることができる。
【００４９】
ところで、光学フィルタと光源の分光特性により、各光源と各画像読取センサとの間で影響率に差がある。影響率が低い部分では、上述したような光量調整目標値の補正処理を行っても、その効果がほとんど得られない。
【００５０】
従って、算出した影響率をある設定値と比較して、その影響率の高低関係を判定する影響率判定手段を設けて、該影響率判定手段の判定結果に従い影響率の高い光源と画像読取センサの部分だけに前述したような光量調整目標値の補正処理を行うように構成することもできる。
【００５１】
なお、影響率判定手段は、制御部３１０で代用することも可能である。
【００５２】
また、光学フィルタと光源の分光特性から影響率が高い光源と画像読取センサとの関係が明らかな場合には、該関係の部分だけに光量調整目標値の補正処理を行うようにすることで、光量調整目標値の補正処理だけでなく、影響率を算出する処理においても省略できる部分が生じる。
【００５３】
これらの構成や処理を用いることで、各種処理の簡素化を図ることもできる。
【００５４】
本実施の形態では、対となる光源と画像読取センサとの組み合わせ（例えば、光源４０１ａと画像読取センサ４０２ａ：共にＲ）以外からの影響率を求める際に、対となる光源に加えて影響率を求める対象である光源（例えば、光源４０１ｂ：Ｇや光源４０１ｃ：Ｂ）を点灯することによる画像読取センサの出力変化から求めている。
【００５５】
これは、対となる光源だけが点灯している時の画像読取センサの出力に近い領域で影響率を算出するための処理であり、安定して影響率を求められるのであれば、対象となる光源のみを点灯した時の画像読取センサの出力から算出することも可能である。
【００５６】
このように、光源と画像読取センサとの影響率を求めることができれば、他の方法を用いても、本発明は実施可能である。
【００５７】
また、本実施の形態では、光源の発光量の調整は、光源を点滅させてその点灯時間を調整して行っており、光源の点灯時間における発光量を変化させてはいない。しかし、光源に流す電流値を制御する電流値制御手段を設けて、光源に流す電流値を電流値制御手段により制御することにより、光源の発光量を調整するように構成しても良い。
【００５８】
なお、本発明は、本実施の形態に限られるものではなく、本発明の主題に基づき、どのようなものであっても適用可能である。
【００５９】
また、本発明の目的は、上述した実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００６０】
この場合、記憶媒体から読み出されたプログラムコード自体が上述した実施の形態の機能を実現することになり、そのプログラムコードを記憶した記憶媒体は本発明を構成することになる。
【００６１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードを、ネットワークを介してダウンロードしても良い。
【００６２】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれる。
【００６３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれる。
【００６４】
また、コンピュータが読み出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も、本発明に含まれることは言うまでもない。
【００６５】
この場合、上記プログラムは、該プログラムを記憶した記憶媒体から直接、またはインターネット、商用ネットワーク、若しくはローカルエリアネットワーク等に接続された不図示の他のコンピュータやデータベース等からダウンロードすることにより供給される。
【００６６】
また、上記プログラムの形態は、オブジェクトコード、インタプリタにより実行されるプログラムコード、ＯＳ（オペレーティングシステム）に供給されるスクリプトデータ等の形態から成っても良い。
【図面の簡単な説明】
【００６７】
【図１】本発明の一実施の形態に係る画像読取装置の外観構成を示す斜視図である。
【図２】本発明の一実施の形態に係る画像読取装置の内部構成を示す断面図である。
【図３】本発明の一実施の形態に係る画像読取装置における画像読取部分の構成を示すブロック図である。
【図４】本発明の一実施の形態に係る画像読取装置における光学構成例を示す概念図である。
【図５】本発明の一実施の形態に係る画像読取装置における画像読取センサの構成を示す斜視図である。
【図６】一般的な画像読取装置におけるカラーフィルタの分光透過率特性例を示す図である。
【図７】一般的な画像読取装置における光源の発光分光特性例を示す図である。
【符号の説明】
【００６８】
１０１    画像読取装置本体
２００    原稿
３００    裏面画像読取センサ
３０１    表面画像読取センサ
３０２    光源
３０３    光源
３１０    制御部
３０７    デジタル画像処理用記憶部
３０８    デジタル画像信号保持部
３０９    タイミング信号発生部
３１２    プログラム記憶部（ＲＯＭ）
３１３    メモリ部（ＲＡＭ）
３１４    データ保持部（ＥＥＰＲＯＭ）
３１５    光量目標値補正演算部
４０１    光源
４０２    画像読取センサ
４０３    標準白板
５０１    カラーフィルタ（光学フィルタ）
【図１】
2006237896.tif 000006
【図２】
2006237896.tif 000007
【図３】
2006237896.tif 000008
【図４】
2006237896.tif 000009
【図５】
2006237896.tif 000010
【図６】
2006237896.tif 000011
【図７】
2006237896.tif 000012